(57)【要約】【課題】破風の上面を流れ落ちる雨水を塞き止める塞止め部を従来より低くすることができる屋根構造を提供する。【解決手段】破風１０が、前記屋根１のけらば側の上面側に配置される上面部１０ａと、この上面部１０ａの端部に形成され、前記屋根１のけらば側の端面側に配置される端面部１０ｂとを備え、上面部１０ａと端面部１０ｂとの交差部に凸条１０ｋがけらばに沿って形成されており、破風１０の先端部の上面部１０ａに、凸条１０ｋの側部から屋根１側に向けて斜め下方に傾斜する塞止め部３０が設けられ、この塞止め部３０の上部にこの上部から破風１０の後端側に向けて延出する延出部３１が設けられているので、塞止め部３０に当たった雨水は、延出部３１によって塞止め部３０を越えるのを防止される。したがって、塞止め部３０を従来より低くすることができる。【選択図】図１
2010159596.tif 000002
【特許請求の範囲】
【請求項１】
屋根のけらば側の端部に破風が設けられた屋根構造において、
前記破風は、前記屋根のけらば側の上面側に配置される上面部と、この上面部の端部に形成され、前記屋根のけらば側の端面側に配置される端面部とを備えており、
前記上面部と端面部との交差部に、上方に突出する凸条がけらばに沿って形成されており、
前記破風の先端部の前記上面部に、前記凸条の側部から前記屋根側に向けて斜め下方に傾斜する塞止め部が設けられ、
この塞止め部の上部にこの上部から前記破風の後端側に向けて延出する延出部が設けられていることを特徴とする屋根構造。
【請求項２】
請求項１に記載の屋根構造において、
前記塞止め部には、塞止め面が前記破風の後端側に対向して形成されており、この塞止め面は、前記凸条の側面と連続していることを特徴とする屋根構造。
【請求項３】
請求項１または２に記載の屋根構造において、
前記凸条の上面と前記延出部の上面とが面一であることを特徴とする屋根構造。
【請求項４】
請求項１〜３のいずれか一項に記載の屋根構造において、
前記破風の先端部に、破風先端固定板が設けられており、
この破風先端固定板が前記屋根の軒先部に固定されていることを特徴とする屋根構造。
【請求項５】
請求項１〜３のいずれか一項に記載の屋根構造において、
前記屋根を支持する外壁本体に、中間部品が取り付けられており、
この中間部品に前記破風が連結されており、
前記中間部品に、前記外壁本体に取り付けられた外装材の上端部がシーリング材を介して密着されていることを特徴とする屋根構造。
【発明の詳細な説明】
【技術分野】
【０００１】
本発明は、屋根のけらば側の端部に破風が設けられた屋根構造に関する。
【背景技術】
【０００２】
屋根のけらば側の端部に破風が設けられた屋根構造の一例として特許文献１に記載のものが知られている。
この屋根構造は、屋根のけらば側の端部にけらば水切（破風）が設けられており、この破風の上面の下部に、破風の上面を流れ落ちる水滴を屋根上面側に送るためのせき止め片を固定したものである。
このような屋根構造によれば、破風の上面に降る雨は、破風の上面を伝って流れ落ち、せき止め片のところにやってくるが、せき止め片は破風の上面を流れ落ちる雨水を屋根上面側に送るように形成されているので、かかる雨水は軒樋に回収される。したがって、雨水が破風の軒側の端部を伝って地面に落ちることはない。
【先行技術文献】
【特許文献】
【０００３】
【特許文献１】特開平８−４２０８８号公報
【発明の概要】
【発明が解決しようとする課題】
【０００４】
ところで、上記従来の屋根構造では、破風の上面を流れ落ちてきた雨水がせき止め片の上端を越えないように、確実にせき止めて屋根上面側に送るために、せき止め片を比較的高く形成する必要がある。せき止め片が高くなればなるほど、屋根の外観意匠性を損なうのは勿論のこと、屋根工事や屋根補修等の際にせき止め片が損傷するおそれもある。
【０００５】
本発明は上記事情に鑑みてなされたもので、破風の上面を流れ落ちる雨水を塞き止める塞止め部を従来より低くすることができる屋根構造を提供することを課題としている。
【課題を解決するための手段】
【０００６】
上記課題を解決するために、請求項１に記載の発明は、例えば図１〜図５に示すように、屋根１のけらば側の端部に破風１０が設けられた屋根構造において、
前記破風１０は、前記屋根１のけらば側の上面側に配置される上面部１０ａと、この上面部１０ａの端部に形成され、前記屋根１のけらば側の端面側に配置される端面部１０ｂとを備えており、
前記上面部１０ａと端面部１０ｂとの交差部に、上方に突出する凸条１０ｋがけらばに沿って形成されており、
前記破風１０の先端部の前記上面部１０ａに、前記凸条１０ｋの側部から前記屋根１側に向けて斜め下方に傾斜する塞止め部３０が設けられ、
この塞止め部３０の上部にこの上部から前記破風１０の後端側に向けて延出する延出部３１が設けられていることを特徴とする。
【０００７】
請求項１に記載の発明によれば、破風１０の上面部１０ａと端面部１０ｂとの交差部に、上方に突出する凸条１０ｋがけらばに沿って形成されており、破風１０の先端部の上面部１０ａに、前記凸条１０ｋの側部から前記屋根１側に向けて斜め下方に傾斜する塞止め部３０が設けられ、この塞止め部３０の上部にこの上部から前記破風１０の後端側に向けて延出する延出部３１が設けられているので、破風１０の上面部１０ａを流れ落ちてきて、塞止め部３０に当たった雨水は、延出部３１によって塞止め部３０を越えるのを防止される。したがって、塞止め部３０を従来より低くすることができる。
また、破風１０の上面部１０ａと端面部１０ｂとの交差部に、上方に突出する凸条１０ｋがけらばに沿って形成されているので、破風１０の上面部１０ａを流れ落ちる雨水が端面部１０ｂ側に流れ落ちるのを防止できる。
【０００８】
請求項２に記載の発明は、請求項１に記載の屋根構造において、
前記塞止め部３０には、塞止め面３０ａが前記破風１０の後端側に対向して形成されており、この塞止め面３０ａは、前記凸条１０ｋの側面１０ｓと連続していることを特徴とする。
【０００９】
請求項２に記載の発明によれば、破風１０の上面部１０ａを流れ落ちる雨水が凸条１０ｋの側面１０ｓに沿って流れ、さらに塞止め面３０ａに沿って斜め下方に流れて屋根１側に流れ落ちるので、破風１０の上面に降った雨水を確実に屋根１の上面側または屋根の軒先に設けられた軒樋に導くことができる。
【００１０】
請求項３に記載の発明は、請求項１または２に記載の屋根構造において、
前記凸条１０ｋの上面と前記延出部３１の上面とが面一であることを特徴とする。
【００１１】
請求項３に記載の発明によれば、凸条１０ｋの上面と前記延出部３１の上面とが面一であるので、けらば側から屋根１を見たときに、延出部３１や塞止め部３０が見えず、秀麗な仕上がりとなる。
【００１２】
請求項４に記載の発明は、請求項１〜３のいずれか一項に記載の屋根構造において、
前記破風１０の先端部に、破風先端固定板３２が設けられており、
この破風先端固定板３２が前記屋根１の軒先部に固定されていることを特徴とする。
【００１３】
請求項４に記載の発明によれば、破風先端固定板３２が屋根１の軒先部に固定されているので、破風１０の先端部を確実に固定できる。
【００１４】
請求項５に記載の発明は、例えば図５に示すように、請求項１〜３のいずれか一項に記載の屋根構造において、
前記屋根１を支持する外壁本体１５に、中間部品（破風ランナー１８）１８が取り付けられており、
この中間部品（破風ランナー１８）１８に前記破風１０が連結されており、
前記中間部品（破風ランナー１８）１８に、前記外壁本体１５に取り付けられた外装材２２の上端部がシーリング材２４を介して密着されていることを特徴とする。
【００１５】
ここで、シーリング材２４としては、形状があらかじめ定まっている定型シーリング材や、形状があらかじめ定まっていないペースト状の油性のコーキング材が使用される。
【００１６】
請求項５に記載の発明によれば、外壁本体の上端部に中間部品（破風ランナー１８）を取り付けておき、この中間部品（破風ランナー１８）に破風１０を連結し、一方、前記中間部品（破風ランナー１８）に外装材２２の上端部をシーリング材２４を介して密着することができるので、破風１０の取付けと、外装材２２の施工とを別々に行うことができる。
【発明の効果】
【００１７】
本発明によれば、破風の上面部と端面部との交差部に、上方に突出する凸条がけらばに沿って形成されており、破風の先端部の上面部に、前記凸条の側部から前記屋根側に向けて斜め下方に傾斜する塞止め部が設けられこの塞止め部の上部にこの上部から前記破風の後端側に向けて延出する延出部が設けられているので、破風の上面部を流れ落ちてきて、塞止め部に当たった雨水は、延出部によって塞止め部を越えるのを防止される。したがって、塞止め部を従来より低くすることができる。
【図面の簡単な説明】
【００１８】
【図１】本発明に係る屋根構造の一例を示すもので、その要部を示す斜視図である。
【図２】同、破風先端部の拡大斜視図である。
【図３】同、破風の先端部をけらば側から見た斜視図である。
【図４】同、破風の要部の拡大斜視図である。
【図５】同、屋根構造の断面図である。
【図６】同、外壁本体に破風ランナーを取り付けている状態を示す斜視図である。
【図７】同、屋根本体に破風を取り付ける状態を示す断面図である。
【図８】同、屋根本体に破風を取り付ける方法を示す斜視図である。
【図９】同、屋根本体に破風を取り付けた状態を示す断面図である。
【発明を実施するための形態】
【００１９】
以下図面を参照して本発明の実施の形態について説明する。
図１は本発明に係る屋根構造の要部を示す斜視図、図２は破風先端部の拡大斜視図、図３は、破風の先端部をけらば側から見た斜視図、図４は破風の要部の斜視図、図５は屋根構造の断面図である。
これらの図に示すように、屋根１を構成する屋根本体２のけらば側の端部には破風１０が設けられている。屋根１は、複数の屋根パネルを建物躯体上に敷設することによって屋根本体２を構成し、この屋根本体２の上面にルーフィングを挟んで屋根材３を敷設してなるものである。なお、屋根パネルは框材を矩形枠状に組み立て矩形枠を形成するとともに、この矩形枠内に補強桟材を縦横に取り付け、さらに矩形枠の上面に合板等からなる面材を取り付けたものである。
【００２０】
図５に示すように、屋根本体２の端部上面には唐草４と捨て水切り５とが設けられており、唐草４は屋根本体２の端部上面に釘６によって固定されている。捨て水切り５は設置板５ａと立上り板５ｂとによって断面略Ｌ型に形成されており、設置板５ａが屋根本体２の上面に設置され、立上り板５ｂが唐草４に当接されている。設置板５ａの端部は、押え板７によって屋根本体２の上面に押え付けられている。なお、押え板７は釘７ａによって屋根本体２の上面に固定されている。また、立上り板５ｂの上端部には係止部５ｃが形成されている。
【００２１】
また、屋根本体２の端部には、前記破風１０が取り付けられている。破風１０は断面略コ字型に形成されており、屋根１のけらば側の上面側に配置される上面板（上面部）１０ａと、この上面板１０ａの端部に形成され、屋根１のけらば側の端面側に配置される端面板（端面部）１０ｂと、端面板１０ｂの下端に形成された下面板１０ｃとを有している。
端面板１０ｂの上下方向の中央部には、凹溝１０ｄが端面板１０ｂの長手方向（図４において紙面と直交する方向）に沿って形成されており、この凹溝１０ｄからビス１１を屋根本体２の端部を構成する框材２ａにねじ込むことによって、端面板１０ｂが屋根本体２の端面に固定されている。
また、上面板１０ａの端部には、下方に向けて折曲された固定板１０ｅが形成されており、この固定板１０ｅの下端部に係合フック１０ｆが形成されている。そして、固定板１０ｅは捨て水切り５の係止部５ｃに当接され、係合フック１０ｆは、捨て水切り５の係止部５ｃの先端に係合されている。この状態で、固定板１０ｅから係止部５ｃに向けてビス１２がねじ込まれている。これによって、上面板１０ａの端部が捨て水切り５の立上り板５ｂの上端部に固定されている。
また、下面板１０ｃの端部に段差部１０ｇが形成され、この段差部１０ｇの端部に立上り部１０ｈが形成され、この立上り部１０ｈの上端部に当接部１０ｊが形成されている。そして、この当接部１０ｊが屋根本体２の下面に当接固定されている。
さらに、上面板１０ａと端面板１０ｂとの交差部には、上方に突出する凸条１０ｋがけらばに沿って形成されている。凸条１０ｋは断面矩形状に形成されている。
【００２２】
前記屋根本体２は、外壁本体１５によって下方から支持されている。外壁本体１５は壁パネルを複数接合することによって構成されている。壁パネルは、框材を矩形枠状に組み立て矩形枠を形成するとともに、この矩形枠内に補強桟材を縦横に取り付け、さらに矩形枠の両面に合板等からなる面材を取り付けたものである。
外壁本体１５の上端部には、合板胴縁１６が釘１７によって固定さており、この合板胴縁１６に破風ランナー（中間部品）１８がビス１９によって固定されている。
破風ランナー１８は、固定板１８ａと、この固定板１８ａの下端部に形成された下面板１８ｂと、この下面板１８ｂの端部に形成された断面略Ｌ型の連結部１８ｃとを有している。そして、この連結部１８ｃに、前記破風１０の段差部１０ｇが当接されたうえで、ビス２０によって連結されている。これによって、破風ランナー１８に破風１０が連結されている。
また、破風１０の下面板１０ｃの下面と、破風ランナー１８の下面板１８ｂの下面とは面一となっている。
【００２３】
また、前記合板胴縁１６には、バックアップ金物２１が固定されている。このバックアップ金物２１は固定板２１ａとこの固定板２１ａの上端部に形成された凸条２１ｂとから構成されており、この凸条２１ｂは破風ランナー１８の下面板１８ｂに当接されている。固定板２１ａは合板胴縁１６に固定されており、固定板１８ａに外装材２２の上端部が当接されている。外装材２２は外壁本体１５の表面に、図示しない胴縁を介して取り付けられたものであり、この外装材２２の上端面は前記凸条２１ｂに当接している。
そして、外装材２２の上端面と破風ランナー１８の下面板１８ｂの下面とバックアップ金物２１の凸条２１ｂの表面とで形成された凹溝２３にコーキング材（シーリング材）２４が充填されている。これによって、破風ランナー１８の下面に、外装材２２の上端部がシーリング材２４を介して密着されている。
【００２４】
前記破風１０の先端部は、図１〜図３に示すように、屋根１の軒先部より斜め下前方に突出しており、この先端部の上面は前記上面板１０ａの上面（表面）より一段高くなっている。また、この先端部は先細りするように形成されている。つまり先端部の下面板１０ｍは上面板１０ａに対して、破風１０の先端にいくほど接近するように形成されている。
また、破風１０の先端部の上面板１０ａには、塞止め部３０が設けられている。この塞止め部３０は前記凸条１０ｋの側部から屋根１側に向けて斜め下方に傾斜するようにして設けられている。
塞止め部３０は塞止め面３０ａを有している。この塞止め面３０ａは、破風１０の後端側に対向して形成された矩形状の平面であり、上面板１０ａの表面に対して直角に配置されている。また、塞止め面３０ａは前記凸条１０ｋの側面１０ｓに対して鈍角に配置されており、該側面１０ｓと連続している。
また、前記塞止め部３０の上部には、この上部から破風１０の後端側に向けて延出する延出部３１が設けられている。この延出部３１は長方形板状に形成されており、その幅は塞止め面３０ａの長辺と等しくなっている。この延出部３１の上面と前記凸条１０ｋの上面とは面一となっている。また、延出部３１より先端側の破風１０の上面は、延出部３１の上面と面一となっている。
このように、破風１０の先端部には、塞止め面３０ａ、延出部３１、上面板１０ａとによって断面略コ字型の雨水受部が構成されており、この雨水受部の一方の端部は凸条１０ｋの側面で閉塞され、他方の端部は屋根側に向けて開口している。
【００２５】
また、破風１０の先端部の側面には、破風先端固定板３２が設けられており、この破風先端固定板３２は、屋根１の軒先部に設けられた調整桁材３３の端部に釘３４によって固定されている。この調整桁材３３の前面には、図示しない鼻隠しと軒樋が取り付けられている。
なお、上記のような破風１０は屋根１のけらばに沿って長尺なものであり、けらばの長さが破風１０の長さより長い場合には、複数の破風１０を用意しておき、これら破風１０が接合されることになる。
隣り合う破風１０，１０のうちの、一方の破風１０の接合端部には、接合部３５が形成されており、この接合部３５に他方の破風１０の接合端部を接合することによって隣り合う破風１０，１０が接合されることになる。
図１〜図３には、複数の破風１０のうち、屋根１の軒先側に位置する破風１０を示しているが、他の破風１０は、軒先側に位置する破風１０と横断面が等しくなっており、先端部は先細りしない形状となっている。
【００２６】
次に上記構成の屋根構造を施工する方法について説明する。
まず、図６に示すように、屋根本体２を支持する外壁本体１５の上端部に、合板胴縁１６をけらばに沿って所定間隔で釘打ちによって固定する。なお、屋根本体２の端部上面には唐草４が取り付けられている。
また、屋根本体２の端部上面に、捨て水切り５の設置板５ａを押え板７によって固定するとともに、立上り板５ｂを唐草４に当接する。
【００２７】
次に、合板胴縁１６の略上半分に破風ランナー１８を取り付ける。この場合、破風ランナー１８の固定板１８ａを合板胴縁１６の表面に当接したうえで、ビス１９によって取り付ける。なお、けらばの長さが破風ランナー１８の長さより長い場合、破風ランナー１８を複数用意しておき、隣り合う破風ランナー１８，１８を破風ランナー継手２５によって接続する。
次に、図７に示すように、合板胴縁１６の下半分に、バックアップ金物２１を取り付ける。この場合、バックアップ金物２１の固定板２１ａを合板胴縁１６の表面に当接して固定するとともに、凸条２１ｂを破風ランナー１８の下面板１８ｂの下面に当接する。
【００２８】
次に、図７および図８に示すように、破風１０を屋根本体２の端部に取り付けるとともに、この破風１０を前記破風ランナー１８に連結する。
この場合、図７に示すように、破風１０の係合フック１０ｆを捨て水切り５の係止部５ｃの先端に係止したうえで、破風１０を屋根本体２の先端面に被せるようにして回転させる。そして、図９に示すように、破風１０の端面板１０ｂを屋根本体２の先端面と平行に配置するとともに、破風１０の段差部１０ｇを破風ランナー１８の連結部１８ｃに当接し、さらに、破風１０の当接部１０ｊを屋根本体２の下面に当接する。
【００２９】
ここで、屋根１の軒先側に位置する破風１０においては、図８に示すように、この破風１０を捨て水切り５より先端側に突出させた状態で、破風１０の係合フック１０ｆを捨て水切り５の係止部５ｃの先端に係止したうえで、破風１０を屋根本体２の先端面に被せるようにして回転させた後、該破風１０を後端側にスライドさせる。
そして、破風１０の破風先端固定板３２を屋根１の軒先の調整桁材３３に釘３４によって固定した後、捨て水切り先端部材３６を前方に引き出して、その周辺部にコーキング材を塗布する（図２参照）。
捨て水切り先端部材３６は、前記捨て水切り５の先端部に前後にスライド可能に取り付けられたものであり、その断面形状は捨て水切り５とほぼ等しくなっている。また、捨て水切り先端部材３６の先端部には、捨て水切り先端部材３６の表面から直角に立上る立上り板３６ａと、斜め下方に延出する延出板３６ｂとが形成されている。そして、捨て水切り３６を前方に引き出す場合、立上り板３６ａが前記塞止め面３０ａと隣り合って、連続するようにして引き出す。また、延出板３６ｂは図示しない軒樋に向けて延びている。
【００３０】
次に、破風１０の凹溝１０ｄからビス１１を屋根本体２の框材２ａにねじ込むことによって、端面板１０ｂを屋根本体２の端面に固定する。また、破風１０の固定板１０ｅから捨て水切り５の係止部５ｃに向けてビス１２をねじ込むことによって、上面板１０ａの端部を捨て水切り５の立上り板５ｂの上端部に固定する。さらに、破風ランナー１８の連結部１８ｃから破風１０の段差部１０ｇにビス２０をねじ込むことによって、破風１０を破風ランナー１８に連結する。
なお、屋根のけらばの長さが破風１０の長さより長い場合、複数の破風１０を用意し、隣り合う破風１０，１０を前記接合部３５によってコーキング材を使用して水密に接合する。つまり接合部３５にコーキング材を塗布したうえで、他方の破風１０を上から被せて接合する。
【００３１】
次に、図５に示すように、外壁本体１５に外装材２２をその上端部が破風ランナー１８にシーリング材２４を介して密着するようにして取り付ける。
この場合、外装材２２の上端面をバックアップ金物２１の凸条２１ｂに当接し、外装材２２の上端面と破風ランナー１８の下面板１８ｂの下面とバックアップ金物２１の凸条２１ｂの表面とで形成された凹溝２３にコーキング材（シーリング材）２４を充填する。これによって、破風ランナー１８の下面に、外装材２２の上端部をシーリング材２４を介して密着させる。
【００３２】
本実施の形態によれば、破風１０の上面板１０ａと端面板１０ｂとの交差部に、上方に突出する凸条１０ｋがけらばに沿って形成されており、破風１０の先端部の上面板に、前記凸条１０ｋの側部から屋根側に向けて斜め下方に傾斜する塞止め部３０が設けられ、この塞止め部３０の上部にこの上部から破風１０の後端側に向けて延出する延出部３１が設けられているので、破風１０の上面板１０ａを流れ落ちてきて、塞止め部３０に当たった雨水は、延出部３１によって塞止め部３０を越えるのを防止される。したがって、塞止め部３０を従来より低くすることができる。
そして、塞止め部３０によって塞止められた雨水は、塞止め面３０ａに沿って斜め下方に流れ、さらに立上り板３６ａに沿って斜め下方に流れたうえで、延出板３６ｂに沿って軒樋に向けて流れ落ちる。したがって、破風１０の上面に降った雨水を屋根の軒先に設けられた軒樋に導くことができる。
また、破風１０の上面板１０ａと端面板１０ｂとの交差部に、上方に突出する凸条１０ｋがけらばに沿って形成されているので、破風１０の上面板１０ａを流れ落ちる雨水が端面板１０ｂ側に流れ落ちるのを防止できる。
【００３３】
また、塞止め部３０には、塞止め面３０ａが破風１０の後端側に対向して形成されており、この塞止め面３０ａは、凸条１０ｋの側面と連続しているので、破風１０の上面板１０ａを流れ落ちる雨水が凸条１０ｋの側面に沿って流れ、さらに塞止め面３０ａに沿って斜め下方に流れて屋根側に流れ落ちるので、破風１０の上面に降った雨水を確実に屋根の軒先に設けられた軒樋に導くことができる。
さらに、凸条１０ｋの上面と延出部３１の上面とが面一であるので、けらば側から屋根を見たときに、延出部３１や塞止め部３０が見えず、秀麗な仕上がりとなる。
加えて、破風１０の先端部に、破風先端固定板３２が設けられており、この破風先端固定板３２が屋根１の軒先部の調整桁材３３に固定されているので、破風１０の先端部を確実に固定できる。
【００３４】
また、外壁本体１５の上端部に取り付けられた合板胴縁１６に破風ランナー１８が取り付けられており、この破風ランナー１８に破風１０が連結されており、同破風ランナー１８に、外装材２２の上端部がシーリング材２４を介して密着されているので、外壁本体１５の上端部に合板胴縁１６を介して破風ランナー１８を取り付けておき、この破風ランナー１８に破風１０を連結し、一方、破風ランナー１８に外装材２２の上端部をシーリング材２４を介して密着することができるので、破風１０の取付けと、外装材２２の施工とを別々に行うことができる。
また、破風ランナー１８の下面と破風１０の下面とが面一であるので、破風ランナー１８と破風１０とを下から見上げた場合に、段差のない秀麗な仕上がりとなる。
さらに、破風ランナー１８の下面が破風１０の下面と面一になっているので、破風ランナー１８の下面に、外装材２２の上端部をシーリング材２４を介して密着させる場合に、シーリング材２４を破風ランナー１８の下面と外装材２２の上面との間に容易に充填できる。
【００３５】
さらに、バックアップ金物２１の凸条２１ｂが外装材２２の上端面と破風ランナー１８の下面との間に介在するようにして設けられているので、外装材２２の上端面がバックアップ金物２１の凸条２１ｂに当接されており、これによって、外装材２２の上端の位置決めを容易かつ確実に行うことができる。
また、外装材２２の上端面と破風ランナー１８の下面とバックアップ金物２１の凸条２１ｂの表面とで形成された凹溝２３にシーリング材２４が充填されているので、シーリング材２４を外装材の上端面と中間部品の下面との間に確実に充填できる。
【符号の説明】
【００３６】
１  屋根
１０  破風
１０ａ  上面板（上面部）
１０ｂ  端面板（端面部）
１０ｋ  凸条
１０ｓ  側面
１５  外壁本体
１８  破風ランナー（中間部品）
２２  外装材
２４  コーキング材（シーリング材）
３０  塞止め部
３０ａ  塞止め面
３１  延出部
３２  破風先端固定板
【図１】
2010159596.tif 000003
【図２】
2010159596.tif 000004
【図３】
2010159596.tif 000005
【図４】
2010159596.tif 000006
【図５】
2010159596.tif 000007
【図６】
2010159596.tif 000008
【図７】
2010159596.tif 000009
【図８】
2010159596.tif 000010
【図９】
2010159596.tif 000011